(57)【要約】  【課題】コンテンツの不正使用を簡単な手段によって有効に防止できるシステムを提供する。  【解決手段】携帯電話機１０と、コンテンツ記録機２０と、コンテンツ再生機３０と、サーバ４０とから構成される。携帯電話機１０をコンテンツ記録機２０に接続してコンテンツを選択すると、携帯電話機１０の電話番号とコンテンツＩＤがサーバ４０に登録され、サーバ４０で暗号鍵と復号鍵とが作成される。コンテンツ記録機２０はサーバ４０から取得した暗号鍵でコンテンツを暗号化し、暗号化されたコンテンツが携帯電話機１０にダウンロードされる。再生時には、携帯電話機１０をコンテンツ再生機３０に接続し、携帯電話機１０からサーバ４０へ架電して認証要求を行う。サーバ４０は電話番号が登録済であれば認証ＯＫと判定して復号鍵を返信し、コンテンツ再生機３０はこの復号鍵でコンテンツを復号化して再生する。【選択図】  図１
2005277663.tif 000002
【特許請求の範囲】
【請求項１】
コンテンツを供給するコンテンツ記録機と、このコンテンツ記録機からダウンロードしたコンテンツを格納する電話機能を備えた携帯端末と、この携帯端末に格納されているコンテンツを再生するコンテンツ再生機と、前記コンテンツ記録機および携帯端末と通信が可能なサーバとから構成され、
前記コンテンツ記録機は、一覧表示されたコンテンツの中から希望のコンテンツを選択できるようになっていて、選択されたコンテンツの識別情報を前記携帯端末から取得した電話番号とともに前記サーバへ送信し、
前記サーバは、前記コンテンツ記録機から受信したコンテンツ識別情報と電話番号とを関連付けて登録するとともに、前記コンテンツ識別情報に対応する暗号鍵および復号鍵を作成し、作成した暗号鍵を前記コンテンツ記録機へ送信し、
前記コンテンツ記録機は、前記サーバから受信した暗号鍵で前記選択されたコンテンツを暗号化して、この暗号化されたコンテンツを前記携帯端末へ送信し、
前記携帯端末は、前記コンテンツ再生機でコンテンツの再生を行う際に、前記サーバへ架電することにより認証要求を行い、
前記サーバは、認証要求のあった携帯端末の電話番号が登録済の電話番号と一致するか否かの認証を行い、電話番号が一致する場合は、前記復号鍵を前記携帯端末へ送信し、
前記携帯端末は、暗号化されたコンテンツと、前記サーバから受信した復号鍵とを前記コンテンツ再生機へ送信し、
前記コンテンツ再生機は、前記携帯端末から前記暗号化されたコンテンツと復号鍵とを受信し、前記暗号化されたコンテンツを前記復号鍵で復号してコンテンツの再生を行うことを特徴とするコンテンツ流通システム。
【請求項２】
コンテンツを供給するコンテンツ記録機と、このコンテンツ記録機からダウンロードしたコンテンツを格納する電話機能を備えた携帯端末と、前記コンテンツ記録機および携帯端末と通信が可能なサーバとから構成され、
前記コンテンツ記録機は、一覧表示されたコンテンツの中から希望のコンテンツを選択できるようになっていて、選択されたコンテンツの識別情報を前記携帯端末から取得した電話番号とともに前記サーバへ送信し、
前記サーバは、前記コンテンツ記録機から受信したコンテンツ識別情報と電話番号とを関連付けて登録するとともに、前記コンテンツ識別情報に対応する暗号鍵および復号鍵を作成し、作成した暗号鍵を前記コンテンツ記録機へ送信し、
前記コンテンツ記録機は、前記サーバから受信した暗号鍵で前記選択されたコンテンツを暗号化して、この暗号化されたコンテンツを前記携帯端末へ送信し、
前記携帯端末は、コンテンツの再生時に前記サーバへ架電することにより認証要求を行い、
前記サーバは、認証要求のあった携帯端末の電話番号が登録済の電話番号と一致するか否かの認証を行い、電話番号が一致する場合は、前記復号鍵を前記携帯端末へ送信し、
前記携帯端末は、前記サーバから受信した復号鍵で前記暗号化されたコンテンツを復号してコンテンツの再生を行うことを特徴とするコンテンツ流通システム。
【請求項３】
請求項１または請求項２に記載のコンテンツ流通システムにおいて、
前記サーバは、前記復号鍵に有効期間を設定し、
前記コンテンツ再生機または前記携帯端末は、受け取った復号鍵の有効期間を検査し、有効期間が経過していない場合は、前記暗号化されたコンテンツを当該復号鍵で復号してコンテンツの再生を行い、有効期間が経過している場合は、当該復号鍵によるコンテンツの復号を禁止することを特徴とするコンテンツ流通システム。
【請求項４】
請求項３に記載のコンテンツ流通システムにおいて、
前記サーバは、前記有効期間内において、前記携帯端末から複数回の認証要求を受け付け、各回の認証ごとに、利用可能期間が設定された復号鍵を前記携帯端末へ送信し、
前記利用可能期間内に限り、前記コンテンツ再生機または前記携帯端末でのコンテンツ再生を許容することを特徴とするコンテンツ流通システム。
【請求項５】
請求項４に記載のコンテンツ流通システムにおいて、
前記サーバは、各回の認証ごとにコンテンツに対する課金処理を行うことを特徴とするコンテンツ流通システム。
【請求項６】
請求項１ないし請求項５のいずれかに記載のコンテンツ流通システムに用いられる携帯端末であって、
当該携帯端末の電話番号を前記コンテンツ記録機へ送信する送信手段と、
前記コンテンツ記録機から受信した暗号化されたコンテンツを格納する記憶手段と、
コンテンツの再生時に前記サーバへ認証要求を行うための架電手段と、
前記サーバから復号鍵を受信する受信手段と、
を備えたことを特徴とする携帯端末。
【請求項７】
請求項１ないし請求項５のいずれかに記載のコンテンツ流通システムに用いられるコンテンツ記録機であって、
前記携帯端末が接続される接続手段と、
コンテンツのデータを格納する記憶手段と、
コンテンツの一覧が表示される表示手段と、
前記表示手段に表示されたコンテンツの中から希望のコンテンツを選択する選択手段と、
前記選択手段で選択されたコンテンツの識別情報を、前記接続手段に接続された携帯端末から取得した電話番号とともに前記サーバへ送信する送信手段と、
前記サーバから受信した暗号鍵で前記選択されたコンテンツを暗号化する暗号化手段と、
を備えたことを特徴とするコンテンツ記録機。
【請求項８】
請求項１に記載のコンテンツ流通システムに用いられるコンテンツ再生機であって、
前記携帯端末から前記暗号化されたコンテンツと復号鍵とを受信する受信手段と、
前記受信手段が受信した暗号化されたコンテンツを前記復号鍵で復号する復号化手段と、
前記復号化手段で復号されたコンテンツを再生する再生手段と、
を備えたことを特徴とするコンテンツ再生機。
【請求項９】
請求項２に記載のコンテンツ流通システムに用いられる携帯端末であって、
前記コンテンツ記録機から前記暗号化されたコンテンツと復号鍵とを受信する受信手段と、
前記受信手段が受信した暗号化されたコンテンツを前記復号鍵で復号する復号化手段と、
前記復号化手段で復号されたコンテンツを再生する再生手段と、
を備えたことを特徴とする携帯端末。
【請求項１０】
請求項１ないし請求項５のいずれかに記載のコンテンツ流通システムに用いられるサーバであって、
前記コンテンツ記録機から受信したコンテンツ識別情報と電話番号とを関連付けて登録する登録手段と、
前記コンテンツ識別情報に対応する暗号鍵および復号鍵を作成する鍵作成手段と、
前記鍵作成手段で作成された暗号鍵を前記コンテンツ記録機へ送信する暗号鍵送信手段と、
認証要求のあった携帯端末の電話番号が登録済の電話番号と一致するか否かの認証を行う認証手段と、
前記認証手段により電話番号の一致が認証された場合に、前記復号鍵を前記携帯端末へ送信する復号鍵送信手段と、
を備えたことを特徴とするサーバ。
【請求項１１】
コンテンツを供給するコンテンツ記録機と、このコンテンツ記録機からダウンロードしたコンテンツを格納する電話機能を備えた携帯端末と、この携帯端末に格納されているコンテンツを再生するコンテンツ再生機と、前記コンテンツ記録機および携帯端末と通信が可能なサーバとを用いたコンテンツ流通方法であって、
前記コンテンツ記録機において、一覧表示されたコンテンツの中から選択されたコンテンツの識別情報を前記携帯端末から取得した電話番号とともに前記サーバへ送信するステップと、
前記サーバにおいて、前記コンテンツ記録機から受信したコンテンツ識別情報と電話番号とを関連付けて登録するとともに、前記コンテンツ識別情報に対応する暗号鍵および復号鍵を作成し、作成した暗号鍵を前記コンテンツ記録機へ送信するステップと、
前記コンテンツ記録機において、前記サーバから受信した暗号鍵で前記選択されたコンテンツを暗号化して、この暗号化されたコンテンツを前記携帯端末へ送信するステップと、
前記携帯端末において、前記コンテンツ再生機でコンテンツの再生を行う際に、前記サーバへ架電することにより認証要求を行うステップと、
前記サーバにおいて、認証要求のあった携帯端末の電話番号が登録済の電話番号と一致するか否かの認証を行い、電話番号が一致する場合は、前記復号鍵を前記携帯端末へ送信するステップと、
前記携帯端末において、暗号化されたコンテンツと、前記サーバから受信した復号鍵とを前記コンテンツ再生機へ送信するステップと、
前記コンテンツ再生機において、前記携帯端末から前記暗号化されたコンテンツと復号鍵とを受信し、前記暗号化されたコンテンツを前記復号鍵で復号してコンテンツの再生を行うステップと、
を備えたことを特徴とするコンテンツ流通方法。
【請求項１２】
コンテンツを供給するコンテンツ記録機と、このコンテンツ記録機からダウンロードしたコンテンツを格納する電話機能を備えた携帯端末と、前記コンテンツ記録機および携帯端末と通信が可能なサーバとを用いたコンテンツ流通方法であって、
前記コンテンツ記録機において、一覧表示されたコンテンツの中から選択されたコンテンツの識別情報を前記携帯端末から取得した電話番号とともに前記サーバへ送信するステップと、
前記サーバにおいて、前記コンテンツ記録機から受信したコンテンツ識別情報と電話番号とを関連付けて登録するとともに、前記コンテンツ識別情報に対応する暗号鍵および復号鍵を作成し、作成した暗号鍵を前記コンテンツ記録機へ送信するステップと、
前記コンテンツ記録機において、前記サーバから受信した暗号鍵で前記選択されたコンテンツを暗号化して、この暗号化されたコンテンツを前記携帯端末へ送信するステップと、
前記携帯端末において、コンテンツの再生時に前記サーバへ架電することにより認証要求を行うステップと、
前記サーバにおいて、認証要求のあった携帯端末の電話番号が登録済の電話番号と一致するか否かの認証を行い、電話番号が一致する場合は、前記復号鍵を前記携帯端末へ送信するステップと、
前記携帯端末において、前記サーバから受信した復号鍵で前記暗号化されたコンテンツを復号してコンテンツの再生を行うステップと、
を備えたことを特徴とするコンテンツ流通方法。
【発明の詳細な説明】
【技術分野】
【０００１】
本発明は、携帯端末を利用して映像や音楽等のコンテンツを流通させるコンテンツ流通システムに関するものである。
【背景技術】
【０００２】
レンタルビデオショップにおいては、従来から、コンテンツが記録されたＣＤ（Compact Disk）、ＤＶＤ（Digital Versatile Disk）、ビデオカセットテープなどのメディアをレンタル代金と引換に顧客に貸与し、貸与したメディアを一定期間内に返却させるというシステムが採用されている。しかし、このようなシステムでは、顧客が期限までにメディアを返却しないおそれがあり、また、顧客がメディアを借りている間は、そのメディアを他の顧客が借りられない場合があるという問題点を有している。
【０００３】
そこで、上記のような問題点を解決するため、コンテンツが記録された有体物たるメディアを顧客に貸し出すのではなく、無体物たるコンテンツデータを顧客が持参した可搬型の記録装置にダウンロードして貸し出すシステムが提案されている。このようなレンタルシステムは、例えば後記の特許文献１〜特許文献３に示されている。
【０００４】
特許文献１のシステムにおいては、コンテンツデータを有するサーバ装置に携帯記録装置を接続し、サーバ装置の画面に表示されるコンテンツの中から希望するコンテンツを選択して携帯記録装置へダウンロードした後、携帯記録装置をサーバ装置から外して持ち帰るようになっている。
【０００５】
特許文献２のシステムにおいては、ネットワークを介してダウンロードされる貸出コンテンツのデータファイルに、貸出期間が満了するとデータファイルを自動的に消滅させるアプリケーションプログラムを付加することにより、貸出期間を越えるコンテンツの不正使用を防止するとともに、利用不可のコンテンツにより記録媒体の容量がいたずらに圧迫されるのを防止するようにしている。
【０００６】
特許文献３のシステムにおいては、貸出条件として設定された制限範囲内でコンテンツが使用されるように、レンタルサーバ装置がコンテンツに対して暗号化によるプロテクトを施し、この暗号化されたコンテンツをネットワークを介して利用者の端末装置に送信することで貸出を行うようになっている。端末装置側では、貸出条件に合致するか否かをチェックして、貸出条件を満たす場合に限り、コンテンツを復号して再生する。
【０００７】
【特許文献１】特開２００２−９２５７１号公報
【特許文献２】特開２００３−１６８０２０号公報
【特許文献３】特開２００１−３１９１６４号公報
【発明の開示】
【発明が解決しようとする課題】
【０００８】
特許文献１のシステムでは、携帯記録装置にダウンロードされたコンテンツが、顧客によって不正にコピーされるおそれがある。特許文献２のシステムでは、貸出期間満了後はコンテンツが自動消滅するため不正コピーはできなくなるが、貸出期間が満了するまでは、コンテンツが不正にコピーされるおそれが残る。一方、特許文献３のシステムでは、貸出先の端末装置の識別番号を貸出条件に入れることで、コンテンツが不正にコピーされた場合でも、他の端末装置でコンテンツが再生されるのを禁止することができる。しかしながら、この貸出条件は、ダウンロードしたコンテンツのデータファイルに入っているため、データファイルを解析することで解読される可能性があり、解読された場合には貸出条件が不正に書き換えられて、コンテンツが期限を越えて使用されたり、他の端末装置で再生されたりすることが起こりうる。
【０００９】
以上のように、従来のシステムでは、レンタルしたコンテンツの不正使用に対する対策が十分とは言えなかった。そこで、本発明は、コンテンツの不正使用を簡単な手段によって有効に防止できるシステムを提供することを目的としている。
【課題を解決するための手段】
【００１０】
本発明の第１の形態に係るコンテンツ流通システムは、コンテンツを供給するコンテンツ記録機と、このコンテンツ記録機からダウンロードしたコンテンツを格納する電話機能を備えた携帯端末と、この携帯端末に格納されているコンテンツを再生するコンテンツ再生機と、コンテンツ記録機および携帯端末と通信が可能なサーバとから構成される。コンテンツ記録機は、一覧表示されたコンテンツの中から希望のコンテンツを選択できるようになっていて、選択されたコンテンツの識別情報を携帯端末から取得した電話番号とともにサーバへ送信する。サーバは、コンテンツ記録機から受信したコンテンツ識別情報と電話番号とを関連付けて登録するとともに、コンテンツ識別情報に対応する暗号鍵および復号鍵を作成し、作成した暗号鍵をコンテンツ記録機へ送信する。  コンテンツ記録機は、サーバから受信した暗号鍵で選択されたコンテンツを暗号化して、この暗号化されたコンテンツを前記携帯端末へ送信する。携帯端末は、コンテンツ再生機でコンテンツの再生を行う際に、サーバへ架電することにより認証要求を行い、サーバは、認証要求のあった携帯端末の電話番号が登録済の電話番号と一致するか否かの認証を行い、電話番号が一致する場合は、復号鍵を携帯端末へ送信する。携帯端末は、暗号化されたコンテンツと、サーバから受信した復号鍵とをコンテンツ再生機へ送信し、コンテンツ再生機は、携帯端末から暗号化されたコンテンツと復号鍵とを受信し、暗号化されたコンテンツを復号鍵で復号してコンテンツの再生を行う。
【００１１】
上記のシステムにおいては、ダウンロードしたコンテンツを再生するためには、必ず携帯端末からサーバへ認証要求を行って、サーバから復号鍵を入手する必要がある。したがって、たとえ携帯端末にダウンロードされたコンテンツが他の携帯端末へコピーされたとしても、そのコンテンツの再生を行うには、サーバから正規の復号鍵を入手する必要がある。しかるに、復号鍵は携帯端末の電話番号と対応しており、電話番号は携帯端末ごとに必ず異なるから、復号鍵を入手するために他の携帯端末からサーバへ架電を行っても、サーバでは電話番号が登録済でなければ認証が拒絶され、電話番号が登録済であっても抽出される復号鍵は別のものであるため、他の携帯端末は正規の復号鍵を入手することができない。この結果、コピーしたコンテンツの再生が不可能となり、コンテンツの不正使用が防止される。
【００１２】
本発明の第２の形態に係るコンテンツ流通システムは、コンテンツを供給するコンテンツ記録機と、このコンテンツ記録機からダウンロードしたコンテンツを格納する電話機能を備えた携帯端末と、コンテンツ記録機および携帯端末と通信が可能なサーバとから構成される。コンテンツ記録機は、一覧表示されたコンテンツの中から希望のコンテンツを選択できるようになっていて、選択されたコンテンツの識別情報を携帯端末から取得した電話番号とともにサーバへ送信する。  サーバは、コンテンツ記録機から受信したコンテンツ識別情報と電話番号とを関連付けて登録するとともに、コンテンツ識別情報に対応する暗号鍵および復号鍵を作成し、作成した暗号鍵をコンテンツ記録機へ送信する。コンテンツ記録機は、サーバから受信した暗号鍵で選択されたコンテンツを暗号化して、この暗号化されたコンテンツを携帯端末へ送信する。携帯端末は、コンテンツの再生時にサーバへ架電することにより認証要求を行い、サーバは、認証要求のあった携帯端末の電話番号が登録済の電話番号と一致するか否かの認証を行い、電話番号が一致する場合は、復号鍵を前記携帯端末へ送信する。携帯端末は、サーバから受信した復号鍵で暗号化されたコンテンツを復号してコンテンツの再生を行う。
【００１３】
上記第２の形態においても、コンテンツ再生のためにはサーバから正規の復号鍵を入手する必要があるので、第１の形態の場合と同様の原理に基づき、他の携帯端末へコピーしたコンテンツの不正使用が防止される。また、第２の形態では、第１の形態におけるコンテンツ再生機を携帯端末が兼ねているため、システムの構成が簡略化される。
【００１４】
本発明の好ましい実施形態では、上述した第１、第２のいずれの形態においても、サーバが復号鍵に有効期間を設定する。この場合、コンテンツ再生機または携帯端末は、受け取った復号鍵の有効期間を検査し、有効期間が経過していない場合は、暗号化されたコンテンツを当該復号鍵で復号してコンテンツの再生を行い、有効期間が経過している場合は、当該復号鍵によるコンテンツの復号を禁止する。
【００１５】
このように復号鍵に有効期間を設定することで、たとえコンテンツとともに復号鍵がコピーされた場合でも、コンテンツを利用できる期間が制限されるため、コンテンツ提供側の損害を抑制することができる。
【００１６】
上記のように有効期間を設けた場合は、当該有効期間内において、サーバが携帯端末から複数回の認証要求を受け付け、各回の認証ごとに、利用可能期間が設定された復号鍵を携帯端末へ送信するようにしてもよい。この結果、利用可能期間内に限り、コンテンツ再生機または携帯端末でのコンテンツ再生が許容されることとなる。これによると、利用可能期間経過後は、再度サーバで認証を得る必要があるが、復号鍵が他の携帯電話機に不正コピーされた場合は、サーバへの再認証要求時に電話番号の不一致から認証が拒絶されるので、コンテンツ再生は不可能となる。したがって、コンテンツ提供側の損害をより一層効果的に抑制することができる。
【００１７】
また、上記のように有効期間内で複数回の認証を行うようにした場合は、サーバにおいて、各回の認証ごとにコンテンツに対する課金処理を行うようにしてもよい。これによると、コンテンツが利用される時点で確実に課金を行うことができる。
【００１８】
本発明に係る携帯端末は、当該携帯端末の電話番号をコンテンツ記録機へ送信する送信手段と、コンテンツ記録機から受信した暗号化されたコンテンツを格納する記憶手段と、コンテンツの再生時にサーバへ認証要求を行うための架電手段と、サーバから復号鍵を受信する受信手段とを備える。
【００１９】
本発明に係るコンテンツ記録機は、携帯端末が接続される接続手段と、コンテンツのデータを格納する記憶手段と、コンテンツの一覧が表示される表示手段と、表示手段に表示されたコンテンツの中から希望のコンテンツを選択する選択手段と、選択手段で選択されたコンテンツの識別情報を、接続手段に接続された携帯端末から取得した電話番号とともにサーバへ送信する送信手段と、サーバから受信した暗号鍵で選択されたコンテンツを暗号化する暗号化手段とを備える。
【００２０】
第１の形態のシステムに用いられる本発明のコンテンツ再生機は、携帯端末から暗号化されたコンテンツと復号鍵とを受信する受信手段と、受信手段が受信した暗号化されたコンテンツを復号鍵で復号する復号化手段と、復号化手段で復号されたコンテンツを再生する再生手段とを備える。
【００２１】
第２の形態のシステムに用いられる本発明の携帯端末は、コンテンツ記録機から暗号化されたコンテンツと復号鍵とを受信する受信手段と、受信手段が受信した暗号化されたコンテンツを復号鍵で復号する復号化手段と、復号化手段で復号されたコンテンツを再生する再生手段とを備える。
【００２２】
本発明に係るサーバは、コンテンツ記録機から受信したコンテンツ識別情報と電話番号とを関連付けて登録する登録手段と、コンテンツ識別情報に対応する暗号鍵および復号鍵を作成する鍵作成手段と、鍵作成手段で作成された暗号鍵をコンテンツ記録機へ送信する暗号鍵送信手段と、認証要求のあった携帯端末の電話番号が登録済の電話番号と一致するか否かの認証を行う認証手段と、認証手段により電話番号の一致が認証された場合に、復号鍵を携帯端末へ送信する復号鍵送信手段とを備える。
【００２３】
本発明の第１の形態に係るコンテンツ流通方法は、コンテンツを供給するコンテンツ記録機と、このコンテンツ記録機からダウンロードしたコンテンツを格納する電話機能を備えた携帯端末と、この携帯端末に格納されているコンテンツを再生するコンテンツ再生機と、コンテンツ記録機および携帯端末と通信が可能なサーバとを用いたコンテンツ流通方法であって、以下のステップから構成される。
（ａ）コンテンツ記録機において、一覧表示されたコンテンツの中から選択されたコンテンツの識別情報を携帯端末から取得した電話番号とともにサーバへ送信するステップ。
（ｂ）サーバにおいて、コンテンツ記録機から受信したコンテンツ識別情報と電話番号とを関連付けて登録するとともに、コンテンツ識別情報に対応する暗号鍵および復号鍵を作成し、作成した暗号鍵をコンテンツ記録機へ送信するステップ。
（ｃ）コンテンツ記録機において、サーバから受信した暗号鍵で選択されたコンテンツを暗号化して、この暗号化されたコンテンツを携帯端末へ送信するステップ。
（ｄ）携帯端末において、コンテンツ再生機でコンテンツの再生を行う際に、サーバへ架電することにより認証要求を行うステップ。
（ｅ）サーバにおいて、認証要求のあった携帯端末の電話番号が登録済の電話番号と一致するか否かの認証を行い、電話番号が一致する場合は、復号鍵を携帯端末へ送信するステップ。
（ｆ）携帯端末において、暗号化されたコンテンツと、サーバから受信した復号鍵とをコンテンツ再生機へ送信するステップ。
（ｇ）コンテンツ再生機において、携帯端末から暗号化されたコンテンツと復号鍵とを受信し、暗号化されたコンテンツを復号鍵で復号してコンテンツの再生を行うステップ。
【００２４】
本発明の第２の形態に係るコンテンツ流通方法は、コンテンツを供給するコンテンツ記録機と、このコンテンツ記録機からダウンロードしたコンテンツを格納する電話機能を備えた携帯端末と、コンテンツ記録機および携帯端末と通信が可能なサーバとを用いたコンテンツ流通方法であって、以下のステップから構成される。
（ａ）コンテンツ記録機において、一覧表示されたコンテンツの中から選択されたコンテンツの識別情報を携帯端末から取得した電話番号とともにサーバへ送信するステップ。
（ｂ）サーバにおいて、コンテンツ記録機から受信したコンテンツ識別情報と電話番号とを関連付けて登録するとともに、コンテンツ識別情報に対応する暗号鍵および復号鍵を作成し、作成した暗号鍵をコンテンツ記録機へ送信するステップ。
（ｃ）コンテンツ記録機において、サーバから受信した暗号鍵で選択されたコンテンツを暗号化して、この暗号化されたコンテンツを携帯端末へ送信するステップ。
（ｄ）携帯端末において、コンテンツの再生時にサーバへ架電することにより認証要求を行うステップ。
（ｅ）サーバにおいて、認証要求のあった携帯端末の電話番号が登録済の電話番号と一致するか否かの認証を行い、電話番号が一致する場合は、復号鍵を携帯端末へ送信するステップ。
（ｆ）携帯端末において、サーバから受信した復号鍵で暗号化されたコンテンツを復号してコンテンツの再生を行うステップ。
【発明の効果】
【００２５】
本発明によれば、電話番号を用いた認証方式によって、コンテンツの不正使用を有効に防止できるシステムを実現することができる。
【発明を実施するための最良の形態】
【００２６】
図１は、本発明に係るコンテンツ流通システムの第１実施形態を示す図である。１０は電話機能を備えた携帯端末としての携帯電話機、２０はコンテンツを供給するコンテンツ記録機である。両者はケーブル等を介して接続可能となっており、携帯電話機１０にコンテンツ記録機２０からコンテンツをダウンロードすることができる。コンテンツ記録機２０は、レンタルショップやコンビニエンスストアなどに設置されている。３０は携帯電話機１０にダウンロードされたコンテンツを再生するコンテンツ再生機であって、例えばＤＶＤ（Digital Versatile Disk）プレーヤとモニタ装置とから構成される。このコンテンツ再生機３０は、利用者の自宅に設置されている。４０は携帯電話機１０およびコンテンツ記録機２０と通信が可能なサーバであって、通信回線５３により電話網５１に接続されているとともに、通信回線５４によりコンテンツ記録機２０に接続されている。このサーバ４０は、レンタルショップやコンテンツ製作会社などに設置されている。５２は電話網５１に接続されている無線局であって、携帯電話機１０は、この無線局５２および電話網５１を介して、サーバ４０へアクセスできるようになっている。
【００２７】
図２は、携帯電話機１０の電気的構成を示したブロック図である。１１は操作部であって、各種のキーから構成される。１２はマイクロフォン等から構成される音声入力部である。１３は表示部であって、例えば液晶ディスプレイから構成される。１４はスピーカ等から構成される音声出力部である。１５は通信部であって、無線局５２および電話網５１を介してサーバ４０へ架電（電話をかけること）を行い、サーバ４０との間で通信を行う。この通信部１５は、通常の電話や電子メールの通信を行う機能も備えている。１６はＲＯＭやＲＡＭ等からなるメモリであって、携帯電話機１０の電話番号を記憶する電話番号エリア１６ａと、コンテンツ記録機２０からダウンロードしたコンテンツを格納するコンテンツ格納エリア１６ｂとが設けられている。１７はコネクタインターフェイスであって、コンテンツ記録機２０と接続するためのケーブル（図示省略）が接続される。１８は携帯電話機１０の動作を制御する制御部であって、マイクロコンピュータなどから構成される。
【００２８】
以上の構成において、通信部１５は携帯電話機１０における架電手段、送信手段および受信手段に相当し、メモリ１６は携帯電話機１０における記憶手段に相当する。なお、コンテンツをダウンロードするメモリは、外付けのメモリであってもよい。また、最近では携帯電話機に内蔵可能な小型で薄型のハードディスクが登場しており、携帯電話機１０にこのようなハードディスクを内蔵させて、これにコンテンツをダウンロードするようにしてもよい。この場合は、ハードディスクが記憶手段に相当する。
【００２９】
図３は、コンテンツ記録機２０の電気的構成を示したブロック図である。２１は各種の操作用ボタンからなる操作部、２２はタッチパネルからなる表示部であって、タッチパネルの画面には操作部２１の一部のボタンが表示される。２３は取引処理部であって、投入された貨幣やカードなどに対して所定の処理を行うとともに、レシート等を印刷して発行する。２４は記憶装置であって、大容量のハードディスクを備えており、このハードディスクにはコンテンツ２５のデータが格納されている。コンテンツには、映画、音楽、ゲーム、電子出版物、コンピュータプログラムなど各種のものがある。２６は通信部であって、通信回線５４（図１）を介してサーバ４０との間で通信を行う。２７はＲＯＭやＲＡＭ等からなるメモリである。２８はコネクタインターフェイスであって、携帯電話機１０と接続するためのケーブル（図示省略）が接続される。２９はコンテンツ記録機２０の動作を制御する制御部であって、マイクロコンピュータなどから構成される。
【００３０】
以上の構成において、操作部２１はコンテンツ記録機２０における選択手段に相当し、表示部２２はコンテンツ記録機２０における表示手段に相当し、通信部２６はコンテンツ記録機２０における送信手段に相当し、メモリ２７はコンテンツ記録機２０における記憶手段に相当し、コネクタインターフェイス２８はコンテンツ記録機２０における接続手段に相当し、制御部２９は、コンテンツ記録機２０における暗号化手段に相当する。なお、本実施形態では、携帯電話機１０とコンテンツ記録機２０とがケーブルで接続されるようになっているが、携帯電話機１０とコンテンツ記録機２０とを無線で接続するようにしてもよい。この場合は、それぞれの通信部１５、２６が接続手段に相当する。
【００３１】
図４は、コンテンツ再生機３０の電気的構成を示したブロック図である。ここでは、コンテンツ再生機としてＤＶＤプレーヤを例に挙げているが、これに限らず、専用の再生機を用いてもよい。なお、ＤＶＤプレーヤに接続されるモニタについては、図示を省略してある。３１は、ＤＶＤ１００に対して情報の読取りと書込みとを行うディスク読取／書込部であって、光ピックアップやその駆動部などから構成される。３２は、映像信号や音声信号を処理する信号処理部であって、ディスク読取／書込部３１によりＤＶＤ１００から読み取った信号を処理して再生信号として出力するとともに、外部から入力される記録信号を処理してディスク読取／書込部３１へ出力する。また、この信号処理部３２は、後述するように、携帯電話機１０から受け取った暗号化されたコンテンツを復号化して再生する機能も備えている。３３は、ＤＶＤ１００を駆動するためのディスク駆動部であって、ＤＶＤ１００を回転させるディスクモータやその駆動回路などから構成される。３４は各種キーからなる操作部、３５は蛍光表示管などからなる表示部である。３６はＲＡＭやＲＯＭなどからなるメモリであって、暗号化されたコンテンツを復号化するための復号プログラムを格納したプログラムエリア３６ａを備えている。３７は通信部であって、図示しないリモコンからの信号を受信する受信部を備えている。３８はコネクタインターフェイスであって、携帯電話機１０と接続するためのケーブル（図示省略）が接続される。３９は、コンテンツ再生機３０の動作を制御する制御部であって、マイクロコンピュータなどから構成される。
【００３２】
以上の構成において、信号処理部３２はコンテンツ再生機３０における復号化手段および再生手段に相当し、コネクタインターフェイス３８はコンテンツ再生機３０における受信手段に相当する。なお、本実施形態では、携帯電話機１０とコンテンツ再生機３０とがケーブルで接続されるようになっているが、携帯電話機１０とコンテンツ再生機３０とを無線で接続するようにしてもよい。この場合は、それぞれの通信部１５、３７が接続手段に相当する。
【００３３】
図５（ａ）は、サーバ４０の電気的構成を示したブロック図である。４１は情報を入力するための入力装置であって、キーボードやディスクドライブ、外部インターフェイス等を備えている。４２は通信部であって、図１の通信回線５３、電話網５１および無線局５２を介して携帯電話機１０の通信部１５（図２）との間で通信を行うための送受信回路を備えている。４３はＲＯＭやＲＡＭ等から構成されるメモリ、４４は情報を表示する表示部である。４５は大容量のハードディスクを備えた記憶装置であって、このハードディスクには、後述するデータベース４６が格納されている。４７はサーバ４０の動作を制御する制御部であって、マイクロコンピュータなどから構成される。
【００３４】
以上の構成において、通信部４２はサーバ４０における暗号鍵送信手段および復号鍵送信手段に相当し、制御部４７と記憶装置４５はサーバ４０における登録手段、鍵作成手段および認証手段に相当する。
【００３５】
図５（ｂ）は、記憶装置４５が保有するデータベース４６の一例をテーブルで表した図である。データベース４６には、コンテンツＩＤ、電話番号、暗号鍵、復号鍵、日時、有効期間、課金額が記憶されている。コンテンツＩＤは、各コンテンツに固有の識別情報であって、コンテンツごとに予め付与されている。電話番号は、コンテンツのダウンロード要求があった携帯電話機１０の電話番号である。暗号鍵はコンテンツを暗号化するための鍵、復号鍵は暗号化されたコンテンツを復号化するための鍵である。日時は、暗号鍵と復号鍵の作成を行った日時、および認証を行った日時である。有効期間は、復号鍵を有効な鍵として利用することができる期間である。課金額は、コンテンツの利用（再生）のたびに課金される金額である。
【００３６】
次に、以上のシステムにおけるコンテンツの流通について説明する。まず、図６および図７を参照して、コンテンツを記録（ダウンロード）する場合と、再生する場合の概略手順を説明する。
【００３７】
図６は、コンテンツ記録時の概略手順を説明する図である。携帯電話機１０をケーブル等でコンテンツ記録機２０に接続し、コンテンツ記録機２０の画面でコンテンツが選択されると、コンテンツ記録機２０は、携帯電話機１０から取得した電話番号を、選択されたコンテンツのＩＤとともにサーバ４０へ送る。サーバ４０では、電話番号とコンテンツＩＤとを登録するとともに、コンテンツの暗号鍵と復号鍵とを作成し、暗号鍵のみをコンテンツ記録機２０へ返信する。コンテンツ記録機２０は、サーバ４０から受け取った暗号鍵を用いてコンテンツを暗号化し、暗号化されたコンテンツを携帯電話機１０へ送信する。この結果、携帯電話機１０には、選択したコンテンツが暗号化データとしてダウンロードされる。
【００３８】
図７は、コンテンツ再生時の概略手順を説明する図である。最初に、携帯電話機１０からサーバ４０に対して、復号鍵を取得するための認証要求を行う。この認証要求は、携帯電話機１０からサーバ４０へ架電することで、自動的に行われる。認証要求を受けたサーバ４０は、電話番号とコンテンツＩＤが登録済であるか否かをチェックし、登録済であれば、該当するコンテンツの復号鍵を携帯電話機１０に返信する。携帯電話機１０は、サーバ４０から取得した復号鍵を、ダウンロード済の暗号化されたコンテンツとともにコンテンツ再生機３０へ送信する。コンテンツ再生機３０では、復号鍵を用いて暗号化されたコンテンツを復号化し、コンテンツを再生する。
【００３９】
次に、コンテンツ記録時の手順を図８のフローチャートを参照して更に詳細に説明する。携帯電話機１０側の処理は、制御部１８を構成するマイクロコンピュータにより実行され、コンテンツ記録機２０側の処理は制御部２９を構成するマイクロコンピュータにより実行され、サーバ４０側の処理は制御部４７を構成するマイクロコンピュータにより実行される。
【００４０】
携帯電話機１０をケーブル等でコンテンツ記録機２０へ接続すると（ステップＳ１）、携帯電話機１０は、メモリ１６の電話番号エリア１６ａに記憶されている電話番号や、コンテンツ格納エリア１６ｂの空き容量などの情報を、通信部１５からコンテンツ記録機２０へ送信する（ステップＳ２）。その後、携帯電話機１０はコンテンツの受信を待機する待機状態となる（ステップＳ３）。コンテンツ記録機２０は、最初、待機状態にあり（ステップＳ１１）、携帯電話機１０から電話番号等を受信すると（ステップＳ１２）、記憶装置２４に格納されているコンテンツ２５の一覧を表示部２２に表示する（ステップＳ１３）。
【００４１】
図１０は、表示部２２の一覧表示画面２２Ａの例を示している。この画面２２Ａには、コンテンツの題名、再生時間、金額、利用可能期間などが一覧表示されているとともに、操作用のボタン６１〜６５が表示されている。６１はダウンロードするコンテンツを選択するための決定ボタン、６２はコンテンツの詳細（キャスト、スタッフ等）を表示させるための詳細表示ボタン、６３は選択するコンテンツにカーソルＫ１を移動させるためのカーソルボタン、６４は画面をスクロールさせて次画面のコンテンツ一覧を表示するための次画面表示ボタン、６５ａは前画面に戻るための戻りボタンである。
【００４２】
一覧表示画面２２Ａにコンテンツ一覧を表示した後、コンテンツが選択されるのを待ち（ステップＳ１４）、選択するコンテンツにカーソルＫ１を合わせて決定ボタン６１が押されると（ステップＳ１４：ＹＥＳ）、表示部２２にはコンテンツのダウンロードを案内するダウンロード案内画面が表示される（ステップＳ１５）。
【００４３】
図１１は、表示部２２のダウンロード案内画面２２Ｂの例を示している。この画面２２Ｂには、選択されたコンテンツに対する課金額や利用可能期間に関する案内が表示されているとともに、操作用のボタン６６、６７が表示されている。６６はダウンロードを実行するためのダウンロードボタン、６７はダウンロードをキャンセルして図１０の画面に戻るためのキャンセルボタンである。
【００４４】
ダウンロード案内画面２２Ｂを表示した後、ダウンロードボタン６６が押されるのを待ち（ステップＳ１６）、ダウンロードボタン６６が押されると（ステップＳ１６：ＹＥＳ）、ステップＳ１７へ進み、キャンセルボタン６７が押されると（ステップＳ１６：ＮＯ）、ステップＳ１３の一覧表示画面２２Ａへ戻る。ステップＳ１７では、選択されたコンテンツのコンテンツＩＤと、ステップＳ１２で取得した携帯電話機１０の電話番号とを、通信部２６から通信回線５４を介してサーバ４０へ送信する。
【００４５】
サーバ４０は、最初、待機状態にあり（ステップＳ３１）、コンテンツ記録機２０からコンテンツＩＤと電話番号とが送られてくると、これらを通信部４２で受信し、記憶装置４５のデータベース４６に登録する（ステップＳ３２）。この場合、図５（ｂ）に示したように、コンテンツＩＤと電話番号とが対応するよう両者を関連付けてデータベース４６に登録する。次に、サーバ４０では、受信したコンテンツＩＤに対応する暗号鍵と復号鍵とを作成する（ステップＳ３３）。そして、暗号鍵を通信部４２から通信回線５４を介してコンテンツ記録機２０へ送信する（ステップＳ３４）。その後、ステップＳ３１の待機状態に戻る。
【００４６】
なお、暗号鍵と復号鍵は、例えばコンテンツＩＤと、電話番号と、現在日時と、乱数とを用いて作成される。鍵の作成に電話番号を用いることで、同じコンテンツでも電話番号が違えば、鍵は異なったものとなる。但し、これは一例であって、電話番号を用いないで暗号鍵と復号鍵を作成することも可能である。また、作成された暗号鍵と復号鍵は、図５（ｂ）に示したように、コンテンツＩＤおよび電話番号と対応させてデータベース４６に記録される。このとき、復号鍵には有効期間（始期および終期）が設定され、この有効期間が復号鍵と対応させてデータベース４６に記録される。
【００４７】
コンテンツ記録機２０では、サーバ４０から送られてきた暗号鍵を通信部２６が受信すると（ステップＳ１８）、制御部２９は、この暗号鍵を用いて、ステップＳ１４で選択されたコンテンツの暗号化処理を行う（ステップＳ１９）。そして、暗号化したコンテンツのデータ容量を、ステップＳ１２で取得した携帯電話機１０のコンテンツ格納エリア１６ｂの空き容量と比較し、コンテンツのダウンロードが可能か否かを判定する（ステップＳ２０）。エリア１６ｂの空き容量がコンテンツデータの容量以上であれば、ダウンロードが可能と判定され（ステップＳ２０：ＹＥＳ）、暗号化したコンテンツを、コネクタインターフェイス２８に接続されたケーブルを介して、携帯電話機１０へ送信する（ステップＳ２１）。そして、送信が終了すると、ダウンロードの完了を通知するダウンロード完了通知画面を表示部２２に表示する（ステップＳ２２）。
【００４８】
図１２は、表示部２２のダウンロード完了通知画面２２Ｃの例を示している。この画面２２Ｃには、ダウンロードの完了や認証受付期限を知らせるメッセージなどが表示されているとともに、ボタン６８ａ、６５ｂが表示されている。ボタン６８ａは、操作を終了するための終了ボタンであって、このボタンが操作されるとステップＳ１１の待機状態に戻る。ボタン６５ｂは、図１０の画面に戻るための戻りボタンである。ボタン６５ｂの操作により、図１０の画面において、別のコンテンツを選択してダウンロードすることができる。
【００４９】
ステップＳ２０の判定の結果、コンテンツ格納エリア１６ｂの空き容量が少なくて、ダウンロードが不可であれば（ステップＳ２０：ＮＯ）、エラー画面が表示される（ステップＳ２３）。図１３は、表示部２２のエラー画面２２Ｄの例を示している。この画面２２Ｄには、携帯電話機１０のメモリ容量（コンテンツ格納エリア１６ｂの空き容量）の不足によりダウンロードが不可の旨のメッセージが表示されているとともに、ボタン６８ｂ、６５ｃが表示されている。ボタン６８ｂは、操作を終了するための終了ボタンであって、このボタンが操作されるとステップＳ１１の待機状態に戻る。ボタン６５ｃは、図１０の画面に戻るための戻りボタンである。
【００５０】
一方、携帯電話機１０においては、コンテンツ記録機２０から送られてくる暗号化されたコンテンツをコネクタインターフェイス１７を介して受信し、受信したコンテンツをメモリ１６のコンテンツ格納エリア１６ｂに格納する（ステップＳ４）。これにより、コンテンツ記録機２０から携帯電話機１０へ、暗号化されたコンテンツがダウンロードされる。なお、このとき、コンテンツとともにコンテンツＩＤも一緒にダウンロードされる。ダウンロードが完了すると、前述のようにコンテンツ記録機２０にダウンロード完了通知画面２２Ｃ（図１２）が表示されるので、利用者はこの画面２２Ｃの案内に従い、コンテンツ記録機２０のコネクタからケーブルを抜いて携帯電話機１０を取り外す（ステップＳ５）。この時点では、携帯電話機１０はコンテンツが記録された一種のメディアとなっている。
【００５１】
次に、コンテンツ再生時の手順を図９のフローチャートを参照して更に詳細に説明する。コンテンツ再生機３０側の処理は制御部３９を構成するマイクロコンピュータにより実行され、携帯電話機１０側の処理は、制御部１８を構成するマイクロコンピュータにより実行され、サーバ４０側の処理は制御部４７を構成するマイクロコンピュータにより実行される。
【００５２】
コンテンツ再生機３０は、最初、携帯電話機１０からのコンテンツの受信を待機している状態にある（ステップＳ４１）。携帯電話機１０をケーブルでコンテンツ再生機３０へ接続し（ステップＳ５１）、所定の操作を行うと、携帯電話機１０の表示部１３に、ダウンロードしたコンテンツの一覧が表示される（ステップＳ５２）。
【００５３】
図１４は、携帯電話機１０の表示部１３における一覧表示画面１３Ａの例を示している。この画面２２Ａには、コンテンツの題名、再生時間、金額などが一覧表示されているとともに、操作用のボタン７１、７２ａが表示されている。７１は再生するコンテンツを選択するための決定ボタン、７２ａは前画面に戻るための戻りボタンである。なお、この一覧表示画面１３Ａは、コンテンツ再生機３０のモニタ装置（図示省略）に表示してもよい。以下の図１５〜図１７の各画面１３Ｂ〜１３Ｄについても同様である。
【００５４】
携帯電話機１０では、一覧表示画面１３Ａにコンテンツ一覧を表示した後、コンテンツが選択されるのを待ち（ステップＳ５３）、再生するコンテンツにカーソルＫ２を合わせて決定ボタン７１が選択されると（ステップＳ５３：ＹＥＳ）、表示部１３にはコンテンツ再生の認証を確認するための認証確認画面が表示される（ステップＳ５４）。なお、カーソルＫ２の移動や決定ボタン７１の選択は、操作部１１でのキー操作によって行われる。
【００５５】
図１５は、携帯電話機１０の表示部１３における認証確認画面１３Ｂの例を示している。この画面１３Ｂには、選択したコンテンツの再生には認証が必要なことや、課金額、コンテンツの利用可能期間に関する案内が表示されているとともに、操作用のボタン７３ａ、７２ｂが表示されている。７３ａは認証を承認する場合に選択するＯＫボタン、７２ｂは図１４の画面に戻るための戻りボタンである。
【００５６】
認証確認画面１３Ｂを表示した後、ＯＫボタン７３ａが押されるのを待ち（ステップＳ５５）、ＯＫボタン７３ａが押されると（ステップＳ５５：ＹＥＳ）、ステップＳ５６へ進み、戻りボタン７２ｂが押されると、ステップＳ５２の一覧表示画面１３Ａに戻る。ステップＳ５６では、メモリ１６の電話番号エリア１６ａに記憶されている電話番号を読み出し、通信部１５から無線局５２、電話網５１、通信回線５３を介してサーバ４０へ架電して、サーバ４０との接続を行う。そして、サーバ４０に接続されると、ステップＳ５３で選択したコンテンツのＩＤをサーバ４０へ送信する（ステップＳ５７）。
【００５７】
サーバ４０は、最初、待機状態にあり（ステップＳ７１）、携帯電話機１０から架電があると、当該携帯電話機１０の電話番号を通信部４２を介して自動的に取得する（ステップＳ７２）。この電話番号は、メモリ４３の所定領域に一時的に格納される。続いて、携帯電話機１０から送られてくるコンテンツＩＤを通信部４２で受信する（ステップＳ７３）。このコンテンツＩＤも、メモリ４３の所定領域に一時的に格納される。そして、携帯電話機１０から取得した電話番号およびコンテンツＩＤに基づいて、再生を許可するか否かの認証を行う（ステップＳ７４）。この認証は、取得した電話番号およびコンテンツＩＤが、データベース４６に登録済の電話番号およびコンテンツＩＤと一致するか否かをチェックすることにより行う。
【００５８】
認証結果が正常の場合、すなわち取得した電話番号とコンテンツＩＤが登録済のものと一致した場合は（ステップＳ７５：ＹＥＳ）、これらに対応する復号鍵をデータベース４６から抽出し、通信部４２から通信回線５３、電話網５１、無線局５２を介して携帯電話機１０へ送信する（ステップＳ７６）。その後、送信した復号鍵に対応するコンテンツに対し課金処理を行う（ステップＳ７７）。これにより、データベース４６に課金額が記録される。一方、認証の結果が正常でない場合、すなわち取得した電話番号とコンテンツＩＤが登録済のものと一致しない場合は（ステップＳ７５：ＮＯ）、ステップＳ７６、Ｓ７７の処理を実行せずに、ステップＳ７１の待機状態に戻る。
【００５９】
携帯電話機１０では、サーバ４０から送られてくる復号鍵を通信部１５が受信すると（ステップＳ５８）、表示部１３に認証が正常に行われたことを通知する認証通知画面が表示される（ステップＳ５９）。
【００６０】
図１６は、認証通知画面１３Ｃの例を示している。この画面１３Ｃには、認証が成功したことや、コンテンツの利用可能期間に関する案内が表示されているとともに、操作用のボタン７３ｂ、７２ｃが表示されている。７３ｂは認証通知を承認する場合に選択するＯＫボタン、７２ｃは図１４の画面に戻るための戻りボタンである。
【００６１】
認証通知画面１３Ｃにおいて、ＯＫボタン７３ｂが選択されると、携帯電話機１０は、サーバ４０から取得した復号鍵と、コンテンツ記録機２０からダウンロードした暗号化されたコンテンツとを、ケーブルを介してコンテンツ再生機３０へ送信する（ステップＳ６０）。
【００６２】
コンテンツ再生機３０では、携帯電話機１０から送信されてくる復号鍵と暗号化されたコンテンツとをコネクタインターフェイス３８を介して受信する（ステップＳ４２）。受信が終了し、操作部３４で再生操作が行われると（ステップＳ４３）、受信した復号鍵が有効か否かを判定する（ステップＳ４４）。復号鍵の有効、無効については後述する。判定の結果、復号鍵が有効であれば（ステップＳ４４：ＹＥＳ）、信号処理部３２は、この復号鍵を用い、メモリ３６に記憶されている復号プログラムに従って、暗号化されたコンテンツを復号化し、コンテンツの再生を行う（ステップＳ４５）。再生された映像は図示しないモニタ装置に表示され、再生された音声は図示しないスピーカから出力される。なお、この再生にあたっては、携帯電話機１０を一種のメディアとして利用するので、携帯電話機１０から送られてくるコンテンツは、ストリームデータとして信号処理部３２でリアルタイムに再生される。一方、ステップＳ４４での判定の結果、復号鍵が有効でなければ（ステップＳ４４：ＮＯ）、制御部３９は、信号処理部３２でのコンテンツの復号・再生を禁止する。
【００６３】
以上のようなシステムによると、ダウンロードしたコンテンツが格納されている携帯電話機１０をコンテンツ再生機３０に接続しても、コンテンツを再生することはできず、コンテンツ再生のためには、必ず携帯電話機１０からサーバ４０へ認証要求を行って、サーバ４０から復号鍵を入手する必要がある。そして、この復号鍵は、携帯電話機１０の電話番号に基づいて作成されたものであるから、同じコンテンツでも電話番号が異なれば復号鍵は異なったものとなる。したがって、たとえ携帯電話機１０にダウンロードされたコンテンツが他の携帯電話機へコピーされたとしても、そのコンテンツの再生を行うには、他の携帯電話機からサーバ４０へ架電して認証要求を行い、正規の復号鍵を入手する必要がある。この認証要求時に、携帯電話機の電話番号がサーバ４０に自動的に通知される。しかるに、電話番号は携帯電話機ごとに必ず異なるから、他の携帯電話機からサーバ４０へ認証要求を行っても、サーバ４０にその電話番号が登録されていなければ認証が拒絶され、復号鍵を入手することはできない。また、電話番号がたまたまサーバ４０に登録されていて、サーバ４０からその電話番号に対応する復号鍵が返信されたとしても、この返信された復号鍵は電話番号の違いから本来の復号鍵ではなく、コンテンツを復号することはできない。したがって、いずれにせよ、他の携帯電話機へコピーしたコンテンツは再生が不可能となり、これによってコンテンツの不正使用が防止される。
【００６４】
図１８（ａ）は、復号鍵の有効・無効を説明する図である。前述のように、サーバ４０から携帯電話機１０へ送信される復号鍵には、有効期間が設定されている。この有効期間は、例えば１ヶ月に設定される。この有効期間を過ぎると、復号鍵は無効となり、もはや使用できなくなる。また、復号鍵には、有効期間とは別に、利用可能期間が設定されている。この利用可能期間は、サーバ４０で認証を受けた後のコンテンツ再生を一定期間内に制限するためのもので、コンテンツをレンタルする場合の貸出期間に相当するものである。図１０や図１１でも示したように、利用可能期間は例えば７日間に設定される。サーバ４０は、有効期間内であれば、携帯電話機１０から複数回の認証要求を受け付け、各回の認証ごとに、利用可能期間が設定された復号鍵を携帯電話機１０へ送信する。復号鍵を用いてコンテンツ再生機３０でコンテンツの再生が行えるのは、復号鍵の有効期間内であって、かつ利用可能期間が経過していない場合に限られる。このため、図９のステップＳ４４では、有効期間と利用可能期間とを検査することにより、復号鍵の有効・無効を判定する。利用可能期間を過ぎると、たとえ有効期間内であってもコンテンツは再生できなくなり、再度サーバ４０で認証を受ける必要がある。このようにして、レンタルされたコンテンツの利用条件が担保される。
【００６５】
復号鍵の有効期間が経過した後は、当然のことながら、サーバ４０は認証要求を受け付けない。この場合は、携帯電話機１０の表示部１３にエラー画面が表示される。図１７は、エラー画面１３Ｄの例を示している。この画面１３Ｄには、認証を拒否するメッセージが表示されているとともに、操作用のボタン７３ｃ、７２ｄが表示されている。７３ｃは認証拒否を承認する場合に選択するＯＫボタン、７２ｄは図１４の画面に戻るための戻りボタンである。
【００６６】
このように、復号鍵に有効期間を設定することで、たとえコンテンツとともに復号鍵が他の携帯電話機等にコピーされた場合でも、コンテンツを利用できる期間が制限されるため、コンテンツ提供側の損害を抑制することができる。また、有効期間内に複数回の認証要求を受け付け、各回の認証ごとに、利用可能期間が設定された復号鍵を受け取るようにしたことで、利用可能期間内に限りコンテンツの再生が許容されることとなる。この結果、復号鍵が他の携帯電話機に不正コピーされても、利用可能期間経過後は再度サーバ４０で認証を得る必要があるため、再認証要求時に電話番号の不一致から認証が拒絶され、コンテンツ再生は不可能となる。したがって、コンテンツ提供側の損害をより一層効果的に抑制することができる。さらに、各回の認証ごとにコンテンツに対する課金処理を行うことで、コンテンツが利用される時点で確実に課金を行うことができる。
【００６７】
なお、図１８（ａ）の例では、有効期間内に複数回の認証を行っているが、図１８（ｂ）のように、認証は１回のみとし、一度認証を受ければ以後は有効期間が経過するまでコンテンツの再生を許容するような運用とすることも可能である。この場合は、図９のステップＳ４４において、有効期間のみを検査すればよい。
【００６８】
図１９は、本発明に係るコンテンツ流通システムの第２実施形態を示す図である。先の第１実施形態においては、携帯電話機１０にダウンロードしたコンテンツをコンテンツ再生機３０に転送して再生するようにしたが、第２実施形態では、携帯電話機１０自身でコンテンツを再生するようにしている。したがって、図１のコンテンツ再生機３０が不要となり、システム構成が簡略化されている。この第２実施形態においては、携帯電話機１０が復号プログラムを保有しており、メモリ１６にダウンロードしたコンテンツが制御部１８で復号され再生される。再生された映像は携帯電話機１０の表示部１３に表示され、再生された音声は音声出力部１４から出力される。この実施形態では、通信部１５が受信手段に相当し、制御部１８が復号手段および再生手段に相当する。その他の構成については、図１の第１実施形態と同じであるので、図１９で図１と同一部分には同一符号を付し、詳細な説明は省略する。
【００６９】
次に、第２実施形態におけるコンテンツの流通について説明する。コンテンツ記録機２０から携帯電話機１０にコンテンツをダウンロードする場合の手順は、第１実施形態で説明した図８の手順と全く同じでるから、ここでは説明を省略する。
【００７０】
図２０は、第２実施形態におけるコンテンツ再生時の手順を示している。図２０では、図９と同じステップには同一符号を付してある。最初に、携帯電話機１０の操作部１１の操作により、モードをコンテンツ再生モードに設定する（ステップＳ５１ａ）。すると、表示部１３に図１４の一覧表示画面１３Ａが表示され、コンテンツの一覧が表示される（ステップＳ５２）。その後、この画面でコンテンツが選択されるのを待ち（ステップＳ５３）、再生するコンテンツにカーソルＫ２を合わせて決定ボタン７１が選択されると（ステップＳ５３：ＹＥＳ）、表示部１３には図１５の認証確認画面１３Ｂが表示される（ステップＳ５４）。
【００７１】
認証確認画面１３Ｂを表示した後、ＯＫボタン７３ａが押されるのを待ち（ステップＳ５５）、ＯＫボタン７３ａが押されると（ステップＳ５５：ＹＥＳ）、ステップＳ５６へ進み、戻りボタン７２ｂが押されると、ステップＳ５２の一覧表示画面１３Ａに戻る。ステップＳ５６では、メモリ１６の電話番号エリア１６ａに記憶されている電話番号を読み出し、通信部１５から無線局５２、電話網５１、通信回線５３を介してサーバ４０へ架電して、サーバ４０との接続を行う。そして、サーバ４０に接続されると、ステップＳ５３で選択したコンテンツのＩＤをサーバ４０へ送信する（ステップＳ５７）。
【００７２】
サーバ４０は、最初、待機状態にあり（ステップＳ７１）、携帯電話機１０から架電があると、当該携帯電話機１０の電話番号を通信部４２を介して自動的に取得する（ステップＳ７２）。この電話番号は、メモリ４３の所定領域に一時的に格納される。続いて、携帯電話機１０から送られてくるコンテンツＩＤを通信部４２で受信する（ステップＳ７３）。このコンテンツＩＤも、メモリ４３の所定領域に一時的に格納される。そして、携帯電話機１０から取得した電話番号およびコンテンツＩＤに基づいて、再生を許可するか否かの認証を行う（ステップＳ７４）。この認証は、取得した電話番号およびコンテンツＩＤが、データベース４６に登録済の電話番号およびコンテンツＩＤと一致するか否かをチェックすることにより行う。
【００７３】
認証結果が正常の場合、すなわち取得した電話番号とコンテンツＩＤが登録済のものと一致した場合は（ステップＳ７５：ＹＥＳ）、これらに対応する復号鍵をデータベース４６から抽出し、通信部４２から通信回線５３、電話網５１、無線局５２を介して携帯電話機１０へ送信する（ステップＳ７６）。その後、送信した復号鍵に対応するコンテンツに対し課金処理を行う（ステップＳ７７）。これにより、データベース４６に課金額が記録される。一方、認証の結果が正常でない場合、すなわち取得した電話番号とコンテンツＩＤが登録済のものと一致しない場合は（ステップＳ７５：ＮＯ）、ステップＳ７６、Ｓ７７の処理を実行せずに、ステップＳ７１の待機状態に戻る。
【００７４】
携帯電話機１０では、サーバ４０から送られてくる復号鍵を通信部１５が受信すると（ステップＳ５８）、表示部１３に図１６の認証通知画面１３Ｃが表示される（ステップＳ５９）。この認証通知画面１３Ｃにおいて、ＯＫボタン７３ｂが選択され、続いて所定の再生操作が行われると（ステップＳ６１）、携帯電話機１０は、サーバ４０から取得した復号鍵が有効か否かを、前述した有効期間および利用可能期間を検査して判定する（ステップＳ６２）。判定の結果、復号鍵が有効であれば（ステップＳ６２：ＹＥＳ）、制御部１８は復号鍵を用いて、復号プログラムに従って暗号化されたコンテンツを復号化し、コンテンツの再生を行う（ステップＳ６３）。一方、復号鍵が有効でなければ（ステップＳ６２：ＮＯ）、制御部１８は、コンテンツの復号・再生を禁止する。
【００７５】
本発明では、以上述べた実施形態以外にも、種々の形態を採用することができる。例えば、上記実施形態では携帯端末として携帯電話機１０を例に挙げたが、携帯端末は電話機能を備えていてサーバ４０へ架電により接続可能な端末であれば、例えばＰＤＡ（Personal Digital Assistants）のような端末であってもよい。
【００７６】
また、上記実施形態では、コンテンツ記録機２０の記憶装置２４にコンテンツデータを予め格納しておく例を挙げたが、コンテンツデータをサーバ４０側に保有させ、コンテンツ記録機２０からの要求に応じて、サーバ４０からコンテンツ記録機２０の記憶装置２４にコンテンツデータを都度転送するようにしてもよい。
【００７７】
また、サーバ４０における認証として、携帯電話キャリアが行う電話局としての認証を利用することで、携帯電話機１０の料金が未納の場合に、エラー画面を表示してコンテンツのダウンロードを禁止するような運用も可能である。
【００７８】
さらに、図１９に示した第２実施形態において、携帯電話機１０がテレビ用信号出力端子を備えている場合は、携帯電話機１０とテレビジョン受像機とをケーブルで接続して、携帯電話機１０で再生したコンテンツをテレビ画面に表示するようにしてもよい。
【図面の簡単な説明】
【００７９】
【図１】本発明に係るコンテンツ流通システムの第１実施形態を示す図である。
【図２】携帯電話機の電気的構成を示したブロック図である。
【図３】コンテンツ記録機の電気的構成を示したブロック図である。
【図４】コンテンツ再生機の電気的構成を示したブロック図である。
【図５】サーバの電気的構成およびデータベースの例を示した図である。
【図６】コンテンツ記録時の概略手順を説明する図である。
【図７】コンテンツ再生時の概略手順を説明する図である。
【図８】コンテンツ記録時の手順を詳細に示したフローチャートである。
【図９】コンテンツ再生時の手順を詳細に示したフローチャートである。
【図１０】コンテンツ記録機における一覧表示画面の例である。
【図１１】コンテンツ記録機におけるダウンロード案内画面の例である。
【図１２】コンテンツ記録機におけるダウンロード完了通知画面の例である。
【図１３】コンテンツ記録機におけるエラー画面の例である。
【図１４】携帯電話機における一覧表示画面の例である。
【図１５】携帯電話機における認証確認画面の例である。
【図１６】携帯電話機における認証通知画面の例である。
【図１７】携帯電話機におけるエラー画面の例である。
【図１８】復号鍵の有効・無効を説明する図である。
【図１９】本発明に係るコンテンツ流通システムの第２実施形態を示す図である。
【図２０】第２実施形態におけるコンテンツ再生時の手順を詳細に示したフローチャートである。
【符号の説明】
【００８０】
１０  携帯電話機（携帯端末）
１５  通信部
１６  メモリ
１８  制御部
２０  コンテンツ記録機
２１  操作部
２２  表示部
２５  コンテンツ
２６  通信部
２７  メモリ
２８  コネクタインターフェイス
２９  制御部
３０  コンテンツ再生機
３２  信号処理部
３８  コネクタインターフェイス
４０  サーバ
４２  通信部
４７  制御部
４５  記憶装置
【図１】
2005277663.tif 000003
【図２】
2005277663.tif 000004
【図３】
2005277663.tif 000005
【図４】
2005277663.tif 000006
【図５】
2005277663.tif 000007
【図６】
2005277663.tif 000008
【図７】
2005277663.tif 000009
【図８】
2005277663.tif 000010
【図９】
2005277663.tif 000011
【図１０】
2005277663.tif 000012
【図１１】
2005277663.tif 000013
【図１２】
2005277663.tif 000014
【図１３】
2005277663.tif 000015
【図１４】
2005277663.tif 000016
【図１５】
2005277663.tif 000017
【図１６】
2005277663.tif 000018
【図１７】
2005277663.tif 000019
【図１８】
2005277663.tif 000020
【図１９】
2005277663.tif 000021
【図２０】
2005277663.tif 000022